(57)【特許請求の範囲】
【請求項１】
貯湯タンクと、この貯湯タンクからの湯水を再加熱可能な補助熱源機と、この補助熱源機に供給される湯水を加圧する加圧ポンプと、前記補助熱源機に湯水を供給する為の通路を切換える切換弁と、この切換弁と前記貯湯タンクとを接続するタンク出湯通路と、前記補助熱源機の出湯通路から分岐して前記切換弁に接続された外部加熱回路と、前記出湯通路の前記外部加熱回路が分岐する分岐部の下流側に設けられた流量調整弁と、この流量調整弁の下流側に設けられ且つ高温水と低温水とを混合して設定温度に湯水を調整する混合弁とを備えた貯湯給湯装置において、
前記貯湯タンク内の湯水を前記補助熱源機で再加熱して前記出湯通路を介して給湯する給湯運転中に、前記外部加熱回路に前記出湯通路から湯水を流す外部加熱運転の要求があった場合、前記切換弁を前記タンク出湯通路側から前記外部加熱回路側に切換えると共に前記加圧ポンプの吐出量を前記外部加熱運転に必要な最小流量分だけ増加させ、前記流量調整弁の開度を所定量絞るように調整を行う制御手段を備えたことを特徴とする貯湯給湯装置。
【請求項２】
前記制御手段は、前記切換弁の切換え動作完了後及び前記流量調整弁の所定量絞り動作完了後、前記外部加熱運転の要求に応じて前記加圧ポンプの流量調整を行うことを特徴とする請求項１に記載の貯湯給湯装置。
【発明の詳細な説明】
【技術分野】
【０００１】
本発明は貯湯給湯装置に関し、特に補助熱源機を使用した給湯運転中に風呂追焚運転等の外部加熱運転が割り込み実行された際の給湯温度の変動を改善したものに関する。
【背景技術】
【０００２】
従来から、貯湯、給湯、床暖房パネル等の温水暖房端末への暖房水の供給、風呂の追い焚き等の機能を備えた貯湯給湯装置が広く一般に普及している。この貯湯給湯装置は、外部熱源機により加熱された湯水を貯留する貯湯タンク、この貯湯タンクに低温の上水を供給する給水系通路、貯湯タンクに貯留された湯水を給湯栓等の所望の給湯先に供給する給湯系通路、暖房水を温水暖房端末に循環供給する温水暖房回路、風呂の追い焚きを行う風呂追焚回路、温水暖房回路の暖房水や風呂追焚回路の浴槽水を加熱する外部加熱回路等を備えている。
【０００３】
また、上記の貯湯給湯装置において、貯湯タンクに貯留されている湯水の温度が不足する場合等に湯水を再加熱する燃焼式の補助熱源機を備えた構造のものも一般に知られている（例えば特許文献１参照）。この補助熱源機を使用して給湯運転を行う場合、切換弁の切換え動作を介して、貯湯タンクから補助熱源機をバイパスして給湯先に直接接続される通路から補助熱源機を経由する通路に切換え、補助熱源機に湯水を加圧して供給する加圧ポンプを駆動して、補助熱源機を燃焼作動し、湯水を再加熱して給湯先に給湯している。また、特許文献１の温水システムに記載があるように、補助熱源機を使用した給湯運転と風呂追焚運転や暖房運転等の外部加熱運転とを同時に実行する場合もある。
【先行技術文献】
【特許文献】
【０００４】
【特許文献１】特開２０１２−９３０６２号公報
【発明の概要】
【発明が解決しようとする課題】
【０００５】
ところで、補助熱源機を使用した給湯運転中に外部加熱運転を割り込ませて実行する場合、従来では、外部加熱運転の要求があると、図５に示すように、切換弁の切換え動作を開始すると共に、加圧ポンプの吐出量を、給湯運転に必要な給湯流量から外部加熱回路に必要な循環流量分だけ一気に増加し（図５の時間Ｔａ参照）、その後に、補助熱源機の出湯通路に設けられた流量調整弁の開度を、外部加熱回路に必要な循環流量分に対応する量だけ絞る動作を開始し（図５の時間Ｔｂ参照）、外部加熱回路に必要な循環流量を供給する切換え制御を実行する。
【０００６】
しかし、上記の従来の切換え制御では、流量調整弁の開度がある程度絞られるまで、加圧ポンプによる圧力が、補助熱源機からの高温の湯水と給水系通路からの低温の上水とを混合する混合弁にかかるので、高温の湯水の混合量が増加してしまい、これにより混合弁における湯水分配比がズレてしまうことで、図５の給湯温度の変化に示すように、補助熱源機を使用した給湯運転中に外部加熱運転を割り込み実行した際の過渡期に給湯温度が著しく変動してしまうという問題がある。
【０００７】
本発明の目的は、貯湯給湯装置において、補助熱源機を使用した給湯運転中に外部加熱運転を割り込み実行した際の給湯温度の変動を極力抑制可能なもの、等を提供することである。
【課題を解決するための手段】
【０００８】
請求項１の貯湯給湯装置は、貯湯タンクと、この貯湯タンクからの湯水を再加熱可能な補助熱源機と、この補助熱源機に供給される湯水を加圧する加圧ポンプと、前記補助熱源機に湯水を供給する為の通路を切換える切換弁と、この切換弁と前記貯湯タンクとを接続するタンク出湯通路と、前記補助熱源機の出湯通路から分岐して前記切換弁に接続された外部加熱回路と、前記出湯通路の前記外部加熱回路が分岐する分岐部の下流側に設けられた流量調整弁と、この流量調整弁の下流側に設けられ且つ高温水と低温水とを混合して設定温度に湯水を調整する混合弁とを備えた貯湯給湯装置において、前記貯湯タンク内の湯水を前記補助熱源機で再加熱して前記出湯通路を介して給湯する給湯運転中に、前記外部加熱回路に前記出湯通路から湯水を流す外部加熱運転の要求があった場合、前記切換弁を前記タンク出湯通路側から前記外部加熱回路側に切換えると共に前記加圧ポンプの吐出量を前記外部加熱運転に必要な最小流量分だけ増加させ、前記流量調整弁の開度を所定量絞るように調整を行う制御手段を備えたことを特徴としている。
【０００９】
請求項２の貯湯給湯装置は、請求項１の発明において、前記制御手段は、前記切換弁の切換え動作完了後及び前記流量調整弁の所定量絞り動作完了後、前記外部加熱運転の要求に応じて前記加圧ポンプの流量調整を行うことを特徴としている。
【発明の効果】
【００１０】
請求項１の発明によれば、貯湯タンク内の湯水を補助熱源機で再加熱して出湯通路を介して給湯する給湯運転中に、外部加熱回路に出湯通路から湯水を流す外部加熱運転の要求があった場合、切換弁をタンク出湯通路側から外部加熱回路側に切換えると共に加圧ポンプの吐出量を外部加熱運転に必要な最小流量分だけ増加させ、流量調整弁の開度を所定量絞るように調整を行う制御手段を備えている。
【００１１】
従って、給湯運転中に外部加熱運転を割込み実行した際に、加圧ポンプの吐出量の増加を外部加熱運転に必要な最小流量分に制限することで、混合弁への加圧ポンプの圧力負荷を極力抑制することができるので、混合弁の湯水分配比のズレを防止することができ、外部加熱運転の割込み実行直後の過渡期における給湯温度の変動を極力抑制することができ、ユーザーに違和感を抱かせるのを防止することができる。
【００１２】
請求項２の発明によれば、制御手段は、切換弁の切換え動作完了後及び流量調整弁の所定量絞り動作完了後、外部加熱運転の要求に応じて加圧ポンプの流量調整を行うので、外部加熱回路に必要な循環流量を確保可能な状態になるまで、加圧ポンプの吐出量を最小流量増加の状態に維持し、各動作が完了した後に、加圧ポンプの流量調整を行うことで、給湯温度の変動を抑制しながら外部加熱回路に目標循環流量を確実に供給することができる。
【図面の簡単な説明】
【００１３】
【図１】本発明の実施例に係る補助熱源機を使用した給湯運転時における貯湯給湯装置の概略構成図である。
【図２】給湯運転と外部加熱運転との同時運転時における貯湯給湯装置の概略構成図である。
【図３】加圧ポンプの吐出量段階上げ運転制御のフローチャートである。
【図４】給湯運転中の外部加熱運転の割込み運転時における給湯温度と加圧ポンプの吐出量と切換弁の弁位置と流量調整弁の弁位置の変化を示した線図である。
【図５】従来の給湯運転中の外部加熱運転の割込み運転時における給湯温度と加圧ポンプの吐出量と切換弁の弁位置と流量調整弁の弁位置の変化を示した線図である。
【発明を実施するための形態】
【００１４】
以下、本発明を実施するための形態について実施例に基づいて説明する。
【実施例】
【００１５】
先ずは、本発明の貯湯給湯装置１の全体構成について説明する。
図１に示すように、貯湯給湯装置１は、貯湯、給湯、風呂の追い焚き等の機能を有するものであり、貯湯タンク５を備えたタンクユニット２、貯湯タンク５内の湯水を加熱する為の外部熱源機３、タンクユニット２と外部熱源機３とを接続する湯水循環回路４等を備えている。
【００１６】
タンクユニット２は、貯湯タンク５、補助熱源機６、給水系通路７、給湯系通路８、風呂の浴槽水を追焚きする風呂追焚回路９、この風呂追焚回路９を流れる浴槽水を加熱する外部加熱回路１１、制御ユニット１２等を備え、これら大部分は外装ケース１３内に収納されている。尚、外部熱源機３としては、ヒートポンプ式熱源機や燃料電池発電装置、太陽集熱パネル等が活用される。また、外部熱源機３に代えて、外装ケース１３の内部に設置可能な内部熱源機を活用しても良い。
【００１７】
貯湯タンク５は、外部熱源機３で加熱された高温の湯水（例えば、６５〜９０℃）を貯留可能な密閉タンクで構成され、貯留された湯水の放熱を防ぐ為にタンク周囲は断熱材で覆われている。貯湯タンク５の外周部には、下側から上側に向かって等間隔に複数の湯水温度検出センサ１４ａ〜１４ｄが順に設けられ、これら複数の湯水温度検出センサ１４ａ〜１４ｄにより貯湯タンク５内の複数の貯留層の湯水温度が検出される。
【００１８】
補助熱源機６は、バーナーや熱交換器等を内蔵した公知のガス給湯器で構成されている。補助熱源機６は、給湯運転時に貯湯タンク５内の湯水温度が低下した場合や風呂追焚運転を含む外部加熱運転等の特別な場合に限り、制御ユニット１２から指令が送信されて燃焼作動され、湯水を加熱するものである。補助熱源機６の出口側には、補助熱源機６から導出された湯水温度を検出可能な湯水温度検出センサ１４ｅが設けられている。
【００１９】
次に、給水系通路７について説明する。
図１に示すように、給水系通路７は、上水源から低温の上水を貯湯タンク５等に供給するものであり、上流給水通路部７ａ、中間給水通路部７ｂ、下流給水通路部７ｃを有している。上流給水通路部７ａの上流端が上水源に接続され、下流給水通路部７ｃの下流端が貯湯タンク５の下部に接続されている。上流給水通路部７ａには、低温の上水の温度を検出可能な湯水温度検出センサ１４ｆが設置されている。上流給水通路部７ａに開閉弁１５が設置され、通常は開閉弁１５は開弁されていて、低温の上水を貯湯タンク５内に供給するようになっている。中間給水通路部７ｂに逆止弁１６が設置されている。
【００２０】
上流給水通路部７ａと中間給水通路部７ｂとの間から給湯系通路８に接続するバイパス通路部１７が分岐されている。このバイパス通路部１７に逆止弁１８が設置されている。中間給水通路部７ｂと下流給水通路部７ｃとの間から外部加熱回路１１に接続するバイパス通路部１９が分岐されている。このバイパス通路部１９によって、低温の上水を補助熱源機６に供給することができ、また逆に、外部加熱回路１１から湯水を貯湯タンク５に戻すことができる。
【００２１】
次に、給湯系通路８について説明する。
図１に示すように、給湯系通路８は、貯湯タンク５内に貯湯された湯水を台所等の所望の給湯先に供給するものであり、給湯栓に接続される給湯通路２１、貯湯タンク５の上部から給湯通路２１に直接接続される高温用タンク出湯通路２２、貯湯タンク５の上部から切換弁３１に接続される再加熱用タンク出湯通路２３（タンク出湯通路に相当する）、切換弁３１から補助熱源機６に接続される補助熱源機入湯通路２４、補助熱源機６から給湯通路２１に接続される補助熱源機出湯通路２５等を有している。
【００２２】
給湯通路２１は、高温の湯水が流れる上流給湯通路部２１ａ、混合湯水が流れる下流給湯通路部２１ｂを有し、上流給湯通路部２１ａの上流端が高温用タンク出湯通路２２の下流端及び補助熱源機出湯通路２５の下流端に接続され、下流給湯通路部２１ｂの下流端が給湯栓に接続されている。下流給湯通路部２１ｂには、混合湯水の温度（給湯温度）を検出可能な湯水温度検出センサ１４ｇが設置されている。
【００２３】
上流給湯通路部２１ａと下流給湯通路部２１ｂとの間に混合弁２６が設置されている。この混合弁２６に給水系通路７から分岐したバイパス通路部１７が接続されている。混合弁２６は、給湯温度が指令温度になるように低温の水と高温の湯水の湯水分配比（混合比）を制御するものである。下流給湯通路部２１ｂには、バイパス通路部１７から分岐した分岐通路部２７が接続され、この分岐通路部２７に高温出湯回避用の電磁弁２８が設置されている。
【００２４】
再加熱用タンク出湯通路２３と補助熱源機入湯通路２４との間に切換弁３１が設置されている。補助熱源機入湯通路２４の下流端は、補助熱源機６の導入口に接続されている。補助熱源機入湯通路２４には、補助熱源機６に供給される湯水を加圧する加圧ポンプ３２と、補助熱源機入湯通路２４の通水量を検出可能な流量センサ３３が設置されている。
【００２５】
切換弁３１は、補助熱源機６に湯水を供給する為の通路を切換えるものであり、加圧ポンプ３２の上流側に設置されている。即ち、切換弁３１には、外部加熱回路１１の下流端も接続され、この切換弁３１は、再加熱用タンク出湯通路２３と補助熱源機入湯通路２４との間の接続・遮断及び補助熱源機入湯通路２４と湯水戻り側通路部１１ｂとの間の接続・遮断を切換可能なものである。
【００２６】
尚、本実施例の切換弁３１は、例えば、弁体が０ｓｔｅｐ位置で再加熱用タンク出湯通路２３と補助熱源機入湯通路２４との間を接続（補助熱源機入湯通路２４と外部加熱回路１１との間を遮断）し、弁体が１５００ｓｔｅｐ位置で補助熱源機入湯通路２４と外部加熱回路１１との間を接続（再加熱用タンク出湯通路２３と補助熱源機入湯通路２４との間を遮断）する構造のものであるが、この性能に限定する必要はない。
【００２７】
補助熱源機出湯通路２５は、上流補助出湯通路部２５ａ、下流補助出湯通路部２５ｂを有し、上流補助出湯通路部２５ａの上流端が補助熱源機６の導出口に接続され、下流補助出湯通路部２５ｂの下流端が上流給湯通路部２１ａの上流端に接続されている。上流補助出湯通路部２５ａと下流補助出湯通路部２５ｂとの間から外部加熱回路１１が分岐されている。
【００２８】
補助熱源機出湯通路２５の外部加熱回路１１が分岐する分岐部の下流側であって下流補助出湯通路部２５ｂには、流量調整弁３４が設置されている。流量調整弁３４は、給湯運転を単独で実行する際に全開状態に設定され、給湯運転と外部加熱運転の同時運転を実行する際に要求に応じて開度が所定量絞られ、外部加熱運転を単独で実行する際に全閉状態に設定される。尚、本実施例の流量調整弁３４は、弁体が０ｓｔｅｐ位置で全開状態となり、弁体が３８００ｓｔｅｐ位置で全閉状態となる構造のものであるが、この性能に限定する必要はない。
【００２９】
次に、風呂追焚用熱交換器１０について説明する。
図１に示すように、風呂追焚用熱交換器１０は、風呂追焚回路９を流れる浴槽水を加熱するものであり、外部加熱回路１１の一部となる熱交換通路部１０ａ、風呂追焚回路９の一部となる熱交換通路部１０ｂを有している。
【００３０】
次に、風呂追焚回路９について説明する。
図１に示すように、風呂追焚回路９は、風呂の浴槽水を追焚きする為に浴槽水を循環させる回路であり、風呂戻り側通路部９ａ、風呂往き側通路部９ｂを有している。風呂戻り側通路部９ａと風呂往き側通路部９ｂとの間に風呂循環ポンプ３５が設置され、風呂往き側通路部９ｂに風呂追焚用熱交換器１０の熱交換通路部１０ｂが設置されている。
【００３１】
次に、外部加熱回路１１について説明する。
図１に示すように、外部加熱回路１１は、湯水を循環させて風呂追焚回路９との間で熱交換を行う閉回路であり、湯水往き側通路部１１ａ、湯水戻り側通路部１１ｂを有している。湯水往き側通路部１１ａと湯水戻り側通路部１１ｂとの間に、風呂追焚用熱交換器１０の熱交換通路部１０ａが接続されている。湯水戻り側通路部１１ｂには、風呂追焚運転を実行する際に開放される風呂追焚用の開閉弁３６と、補助熱源機６に戻る湯水温度を検出可能な湯水温度検出センサ１４ｈが設置されている。
【００３２】
次に、湯水循環回路４について説明する。
図１に示すように、湯水循環回路４は、貯湯タンク５と外部熱源機３との間に湯水を循環させて加熱する閉回路であり、低温側循環通路部４ａ、高温側循環通路部４ｂ等を有している。低温側循環通路部４ａの上流端が貯湯タンク５の下部に接続され、高温側循環通路部４ｂの下流端が貯湯タンク５の上部に接続されている。
【００３３】
低温側循環通路部４ａから高温側循環通路部４ｂに接続する分岐通路部３７が分岐され、この分岐部には、貯湯タンク５を含めた循環回路と貯湯タンク５をバイパスする循環回路とを択一的に選択可能な三方弁３８が設置されている。低温側循環通路部４ａの三方弁３８の下流側に循環ポンプ３９が設置されている。低温側循環通路部４ａの下流端と高温側循環通路部４ｂの上流端との間に外部熱源機３の熱交換部３ａが設けられている。
【００３４】
次に、制御ユニット１２について説明する。
図１に示すように、貯湯給湯装置１は、制御ユニット１２（制御手段に相当する）によって制御される。各種のセンサの検出信号が制御ユニット１２に送信され、この制御ユニット１２によって、貯湯給湯装置１の動作、各種のポンプの作動・停止、各種の弁の開閉状態の切換え及び開度調整等を制御し、各種運転（通常の給湯運転、補助熱源機６を使用した給湯運転、外部加熱運転（風呂追焚運転）、湯水循環加熱運転等）を実行する。
【００３５】
制御ユニット１２は、ユーザーが操作可能な操作リモコン４１との間でデータ通信可能であり、操作リモコン４１のスイッチ操作により各種の運転が設定されると、その指令信号が操作リモコン４１から制御ユニット１２に送信される。例えば、操作リモコン４１のスイッチ操作により目標給湯設定温度（例えば、４０℃）が設定されると、その目標給湯設定温度データが操作リモコン４１から制御ユニット１２に送信される。
【００３６】
次に、本発明に関連する加圧ポンプ３２の吐出量段階上げ運転について説明する。
制御ユニット１２が実行可能な加圧ポンプ３２の吐出量段階上げ運転は、貯湯タンク５内の湯水を補助熱源機６で再加熱して補助熱源機出湯通路２５を介して給湯する給湯運転中に、外部加熱回路１１に補助熱源機出湯通路２５から湯水を流す外部加熱運転の要求があった場合、切換弁３１を再加熱用タンク出湯通路２３側から外部加熱回路１１側に切換えると共に加圧ポンプ３２の吐出量を外部加熱運転に必要な最小流量分（外部加熱運転を維持する為の最小流量分、外部加熱する為の熱源として必要な最小流量分）だけ増加させ、流量調整弁３４の開度を所定量（外部加熱運転の立ち上がりを早くする為に設定された弁体の位置であって流量調整弁の開度が６５％〜７５％程度となる量）絞るように調整を行い、切換弁３１の切換え動作完了後及び流量調整弁３４の所定量絞り動作完了後、外部加熱運転の要求に応じて加圧ポンプ３２の流量調整を行う運転である。
【００３７】
尚、補助熱源機６を使用した給湯運転時においては、加圧ポンプ３２を駆動し、補助熱源機６を燃焼作動し、貯湯タンク５の上部の湯水を、再加熱用タンク出湯通路２３と補助熱源機入湯通路２４とを通して補助熱源機６に導入し、補助熱源機６で加熱された高温の湯水を、補助熱源機出湯通路２５から給湯通路２１の上流給湯通路部２１ａに送り、混合弁２６でバイパス通路部１７からの低温の上水と混合して、目標給湯設定温度に調整された湯水を下流給湯通路部２１ｂを通して給湯栓から給湯する（図１矢印参照）。
【００３８】
ところで、貯湯タンク５内の湯水を再加熱する為に補助熱源機６を燃焼作動した場合、補助熱源機６から給湯通路２１に流入した高温の湯水が、貯湯タンク５から高温用タンク出湯通路２２を通って給湯通路２１に流入した低温の湯水と混合する虞があるので、加圧ポンプ３２の出力能力を上昇させて（加圧ポンプ３２を目標給湯流量より僅かに大きい吐出量に設定して）、補助熱源機６からの高温の湯水を少量だけ常時高温用タンク出湯通路２２へ流し込むように制御することで、貯湯タンク５側から給湯通路２１に低温の湯水が流入するのを防止し、出湯特性の悪化を防止している。
【００３９】
また、補助熱源機６を使用した給湯運転と外部加熱運転との同時運転時においては、加圧ポンプ３２を給湯通路２１への目標給湯流量と外部加熱回路１１への目標循環流量との合計流量より僅かに大きい吐出量に設定し、流量調整弁３４の開度を外部加熱回路１１へ目標循環流量が流れるように絞り、補助熱源機６によって加熱された後の高温の湯水を、補助熱源機出湯通路２５から給湯通路２１に送ると共に湯水往き側通路部１１ａを介して風呂追焚用熱交換器１０に送り、この風呂追焚用熱交換器１０で風呂追焚回路９を流れる浴槽水との間で熱交換し、熱交換後の湯水を、湯水戻り側通路部１１ｂを通して補助熱源機６に戻している（図２矢印参照）。
【００４０】
次に、補助熱源機６を使用した給湯運転中に外部加熱運転を割り込み実行する際に、制御ユニット１２により自動的に実行される、加圧ポンプ３２の吐出量段階上げ運転制御について、図３のフローチャートに基づいて説明する。尚、図中の符号Ｓｉ（ｉ=１，２，・・）は各ステップを示す。この加圧ポンプ３２の吐出量段階上げ運転制御の制御プログラムは、制御ユニット１２に予め格納されている。
【００４１】
図３のフローチャートにおいて、この制御が開始されると、最初にＳ１において、貯湯給湯装置１が補助熱源機６を使用した給湯運転中か否かを判定する。貯湯給湯装置１が補助熱源機６を使用した給湯運転中であって貯湯タンク５から補助熱源機６を通って出湯するタンク出湯中の場合（図１矢印参照）、Ｓ１の判定がＹｅｓとなり、Ｓ２に移行し、Ｓ１の判定がＮｏのうちはＳ１を繰り返す。
【００４２】
次に、Ｓ２において、外部加熱運転の要求があるか否かを判定する。即ち、操作リモコン４１の入力操作や各種のセンサの検出等に基づいて外部加熱運転（例えば風呂追焚運転）開始条件成立か否かを判定する。外部加熱運転を開始する為の条件が成立している場合、Ｓ２の判定がＹｅｓとなり、Ｓ３に移行し、Ｓ２の判定がＮｏのうちはＳ２を繰り返す。
【００４３】
次に、Ｓ３において、風呂循環ポンプ３５の駆動を介して風呂追焚回路９に浴槽水を循環し、風呂追焚用の開閉弁３６を開放状態に切換え、切換弁３１を再加熱用タンク出湯通路２３と補助熱源機入湯通路２４との間の接続から補助熱源機入湯通路２４と湯水戻り側通路部１１ｂとの間の接続に切換える動作を開始すると共に、加圧ポンプ３２の吐出量を、給湯運転時の吐出量（例えば２Ｌ／ｍｉｎ）に対して外部加熱運転に必要な最小流量分（例えば２Ｌ／ｍｉｎ分）だけ増加し（図４の時間Ｔ１参照）、Ｓ４に移行する。
【００４４】
次に、Ｓ４において、切換え動作開始後の切換弁３１の弁体の位置が設定位置（例えば１２００ｓｔｅｐ位置）に達したか否かを判定する。即ち、切換弁３１の弁体は徐々に移動し、図４に示すように、切換弁３１の切換え動作が開始してから所定時間（図４の時間Ｔ１−Ｔ２、例えば９ｓ）経過後に弁体の位置が１２００ｓｔｅｐ位置に達した場合、Ｓ４の判定がＹｅｓとなり、Ｓ５に移行し、Ｓ４の判定がＮｏのうちはＳ４を繰り返す。
【００４５】
次に、Ｓ５において、流量調整弁３４の所定量絞り動作を開始し（図４の時間Ｔ２参照）、Ｓ６に移行し、Ｓ６において、切換弁３１の切換え動作開始から設定時間（例えば１３ｓ）経過したか否かを判定する。即ち、切換弁３１の切換え動作開始から設定時間経過している場合、Ｓ６の判定がＹｅｓとなり、Ｓ７に移行し、Ｓ６の判定がＮｏのうちはＳ６を繰り返す。
【００４６】
尚、切換弁３１の切換え動作速度と流量調整弁３４の絞り動作速度は、弁構造によって異なるので、切換弁３１の切換え動作の完了時間と流量調整弁３４の開度の所定量絞り動作の完了時間は、略同じタイミングになるように予め調整されている。また、上記の所定量は、外部加熱運転の立ち上がりを早くする為に設定された流量調整弁３４の弁体の位置（例えば１０００ｓｔｅｐ位置）に対応している。
【００４７】
そして、Ｓ７において、加圧ポンプ３２の流量調整を開始し（図４の時間Ｔ３参照）、リターンする。このＳ７では、図４に示すように、切換弁３１の切換え動作完了後及び流量調整弁３４の所定量絞り動作完了後、外部加熱運転の要求に応じた流量分（例えば３Ｌ／ｍｉｎ分）だけ加圧ポンプ３２の吐出量を増加させる。流量調整弁３４の開度も、所定量絞り動作完了後から外部加熱運転の要求に応じて微調整される。
【００４８】
次に、本発明の貯湯給湯装置１の作用及び効果について説明する。
貯湯給湯装置１において、補助熱源機６を使用した単独の給湯運転中に、外部加熱運転を割り込み実行して、給湯運転と外部加熱運転との同時運転を行う際に、上述した加圧ポンプ３２の吐出量段階上げ制御を実行すると、湯水温度検出センサ１４ｇで検出される図４に示す給湯温度の変動は、図５に示す従来の加圧ポンプ３２の吐出量上げ制御における給湯温度の変動と比較すると、ばらつきが５０％程度（ばらつき幅が１０℃程度から５℃程度）低減する。
【００４９】
以上説明したように、制御ユニット１２が、貯湯タンク５内の湯水を補助熱源機６で再加熱して給湯する給湯運転中に、外部加熱運転の要求があった場合、切換弁３１を再加熱用タンク出湯通路２３側から外部加熱回路１１側に切換えると共に加圧ポンプ３２の吐出量を外部加熱運転に必要な最小流量分だけ増加させ、流量調整弁３４の開度を所定量絞るように調整を行う。
【００５０】
従って、給湯運転中に外部加熱運転を割込み実行した際に、加圧ポンプ３２の吐出量の増加を外部加熱運転に必要な最小流量分に制限することで、混合弁２６への加圧ポンプ３２の圧力負荷を極力抑制することができるので、混合弁２６の湯水分配比のズレを防止することができ、外部加熱運転の割込み実行直後の過渡期における給湯温度の変動を極力抑制することができ、ユーザーに違和感を抱かせるのを防止することができる。
【００５１】
また、制御ユニット１２は、切換弁３１の切換え動作完了後及び流量調整弁３４の所定量絞り動作完了後、外部加熱運転の要求に応じて加圧ポンプ３２の流量調整を行うので、外部加熱回路１１に必要な循環流量を確保可能な状態になるまで、加圧ポンプ３２の吐出量を最小流量増加の状態に維持し、各動作が完了した後に、加圧ポンプ３２の流量調整を行うことで、給湯温度の変動を抑制しながら外部加熱回路１１に目標循環流量を確実に供給することができる。
【００５２】
次に、前記実施例を部分的に変更した形態について説明する。
［１］前記実施例において、外部加熱運転時に外部加熱回路１１を循環する高温の湯水によって風呂追焚回路８の浴槽水を加熱する構造であるが、この構造に限定する必要はなく、温水暖房回路を追加的に設置し、温水暖房回路を循環する床暖房パネルや浴室乾燥機等に供給される暖房水を加熱する構造であっても良いし、風呂追焚回路８の代わりに温水暖房回路のみを設置した構造であっても良く、適宜変更可能である。
【００５３】
［２］前記実施例の加圧ポンプ３２の吐出量段階上げ運転制御のフローチャートのＳ４において、切換弁３１の弁体の位置を判定に利用しているが、特にこれに限定する必要はなく、切換弁３１の切換え動作開始からの経過時間を判定に利用しても良い。
【００５４】
［３］前記実施例の加圧ポンプ３２の吐出量段階上げ運転制御のフローチャートのＳ６において、切換弁３１の切換え動作開始から経過した時間を判定に利用しているが、特にこれに限定する必要なく、切換弁３１及び流量調整弁３４の弁体の位置を判定に利用しても良い。
【００５５】
［４］前記実施例において、設定位置、設定時間、所定量は、ほんの一例を示したに過ぎず、適宜変更可能である。
【００５６】
［５］その他、当業者であれば、本発明の趣旨を逸脱することなく、前記実施例に種々の変更を付加した形態で実施可能であり、本発明はそのような変更形態を包含するものである。
【符号の説明】
【００５７】
１        貯湯給湯装置
５        貯湯タンク
６        補助熱源機
１１      外部加熱回路
１２      制御ユニット
２３      再加熱用タンク出湯通路
２５      補助熱源機出湯通路
２６      混合弁
３１      切換弁
３２      加圧ポンプ
３４      流量調整弁
【図１】
0006350968.tif 000002
【図２】
0006350968.tif 000003
【図３】
0006350968.tif 000004
【図４】
0006350968.tif 000005
【図５】
0006350968.tif 000006